(57)【要約】【課題】通常の被写体の撮影を行うことが可能な汎用の装置を用いることができ、汎用的な様々な用途に応じて撮影や表示の設定を変更する際のユーザ操作を容易にすることができること。【解決手段】撮像装置１は、撮像画像の表示方向の変更に係る制御が可能である。撮像装置１は、被写体向き制御処理部５５を備える。被写体向き制御処理部５５は、複数の撮影用途のいずれかの選択に応じて、撮像画像の表示方向の変更に係る制御内容を変更する。これにより、撮像装置１においては、通常の被写体の撮影を行うことが可能な汎用の装置を用いることができ、汎用的な様々な用途に応じて撮影や表示の設定を変更する際のユーザ操作を容易にすることができる。【選択図】図３
2015228614.tif 000002
【特許請求の範囲】
【請求項１】
撮像画像の表示方向の変更に係る制御が可能な撮像装置であって、
複数の撮影用途のうちのいずれかの選択に応じて、前記撮像画像の表示方向の変更に係る制御内容を変更する変更手段を備えることを特徴とする撮像装置。
【請求項２】
前記変更手段は、撮影用途の選択に応じて、前記撮像画像の表示方向を変化させる変化条件を変更する、
ことを特徴とする請求項１に記載の撮像装置。
【請求項３】
前記変更手段が変更可能な変化条件には、ユーザ操作により撮像画像の表示方向を変化させる第１の変化条件と、ユーザ操作では撮像画像の表示方向を変化させない第２の変化条件とを含む、
ことを特徴とする請求項２に記載の撮像装置。
【請求項４】
前記第２の変化条件は、被写体の方向または撮像装置の方向の自動検出により撮像画像の表示方向を変化させる、
ことを特徴とする請求項３に記載の撮像装置。
【請求項５】
前記変更手段は、レンズを下方向に向けて撮影を行う特定の撮影用途下において、前記第１の変化条件に変更する、
ことを特徴とする請求項４に記載の撮像装置。
【請求項６】
前記レンズを下方向に向けて撮影を行う特定の撮影用途は、書画を撮影しながら外部の表示装置に対して撮影中の映像情報を出力する書画カメラの用途である、
ことを特徴とする請求項５に記載の撮像装置。
【請求項７】
前記変更手段は、特定の撮影用途下において、当該撮像装置に設けられた操作手段への操作、又は被写体の解析結果に応じて前記撮像画像の表示方向を変化させる変化条件に変更する、
ことを特徴とする請求項１に記載の撮像装置。
【請求項８】
前記操作手段は、前記特定の撮影用途以外の他の撮影用途下での使用にも割り当てられている操作手段である、
ことを特徴とする請求項７に記載の撮像装置。
【請求項９】
前記変更手段は、特定の撮影用途下において、前記撮像画像の表示方向を変更して、初期の方向からの表示方向の変更があった場合に、初期方向からの表示方向の変更があった旨の識別表示を行う制御を有効にする、
ことを特徴とする請求項１乃至８のいずれか１項に記載の撮像装置。
【請求項１０】
前記変更手段は、前記特定の撮影用途下において、前記特定の操作により前記撮像画像の表示方向を変更することが可能な旨をガイダンスする制御を行う、
ことを特徴とする請求項９に記載の撮像装置。
【請求項１１】
前記変更手段は、前記特定の撮影用途下において、フォーカス状態を表示するフォーカス枠を非表示にする制御を行う、
ことを特徴とする請求項９又は１０に記載の撮像装置。
【請求項１２】
前記変更手段は、前記初期方向からの表示方向の変更があった場合には、タイムスタンプを合成する位置と方向を変更する制御を行う、
ことを特徴とする請求項９乃至１１のいずれか１項に記載の撮像装置。
【請求項１３】
前記変更手段により変更された表示方向で前記撮像画像を記録する制御を行う記録制御手段を備える、
ことを特徴とする請求項１乃至１２のいずれか１項に記載の撮像装置。
【請求項１４】
前記撮影用途は、予め設定されているモードにより決定され、
前記特定の撮影用途は、書画を撮影するためのモードである、
ことを特徴とする請求項１乃至１３のいずれか１項に記載の撮像装置。
【請求項１５】
撮像画像の表示方向の変更に係る制御が可能な撮像装置を制御する表示制御方法であって、
複数の撮影用途のいずれかの選択に応じて、前記撮像画像の表示方向の変更に係る制御内容を変更する変更ステップを含むことを特徴とする表示制御方法。
【請求項１６】
撮像画像の表示方向の変更に係る制御が可能な撮像装置を制御するコンピュータに、
複数の撮影用途のいずれかの選択に応じて、前記撮像画像の表示方向の変更に係る制御内容を変更する変更機能を実行させることを特徴とするプログラム。
【発明の詳細な説明】
【技術分野】
【０００１】
本発明は、撮像装置、表示制御方法及びプログラムに関する。
【背景技術】
【０００２】
通常の被写体の撮影において、撮影者が撮影中に被写体の状態を確認するためのライブビュー画像をカメラ本体の表示部に表示する場合には、被写体の向きが変化したり、カメラの向きが変化したりした場合（縦撮り、横撮りなど）であっても、撮像されたままの向きでライブビュー画面に被写体を表示する。そして、撮影した画像を再生して見る時には、被写体が正しい向きになるように必要に応じて画像を回転させて表示している。近年のカメラでは、撮影時にセンサにより検出したカメラの角度情報（縦撮り、横撮りの情報）を撮影画像に付加しておき、再生時に自動的に被写体が正しい向きになるように画像を回転させて表示する機能を備えたカメラも開発されている。
例えば、机の上に水平に置かれた書画を上から撮影しながら、その映像を外部ディスプレイに出力したり、スクリーンに投影したりする機能を備えた書画カメラにおいては、撮影者以外の他の人に映像を見せることが目的であり、撮影および投影中において、被写体の向きやカメラの向きが変化した場合であっても、常に被写体を正しい向きに表示する必要があるため、投影される画像の向きを任意に回転させる機能を備えている（特許文献１を参照）。
【先行技術文献】
【特許文献】
【０００３】
【特許文献１】特開２００７−２６６７９１号公報
【発明の概要】
【発明が解決しようとする課題】
【０００４】
しかしながら、上述の特許文献１に記載の技術では、書画の撮影および投影専用であるため、書画以外の通常の被写体を撮影する場合や、外部ディスプレイへの映像出力の有無や、撮影モードと再生モードとの違いなどによって、表示に関する設定を変える必要があることなどが全く考慮されていない。
【０００５】
本発明は、このような状況に鑑みてなされたものであり、通常の被写体の撮影を行うことが可能な汎用の撮像装置を用いることができ、汎用的な様々な用途に応じて撮影や表示の設定を変更する際のユーザ操作を容易にすることを目的とする。
【課題を解決するための手段】
【０００６】
上記目的を達成するため、本発明の一態様の撮像装置は、
撮像画像の表示方向の変更に係る制御が可能な撮像装置であって、
複数の撮影用途のいずれかの選択に応じて、前記撮像画像の表示方向の変更に係る制御内容を変更する変更手段を備えることを特徴とする。
【発明の効果】
【０００７】
本発明によれば、通常の被写体の撮影を行うことが可能な汎用の撮像装置を用いることができ、汎用的な様々な用途に応じて撮影や表示の設定を変更する際のユーザ操作を容易にすることができる。
【図面の簡単な説明】
【０００８】
【図１】本発明の一実施形態に係る撮像装置を書画カメラとして利用している状態を説明するための模式図である。
【図２】本発明の一実施形態に係る撮像装置のハードウェアの構成を示すブロック図である。
【図３】図１の撮像装置の機能的構成のうち、各種の動作モードに共通する全体の制御処理を実行するための機能的構成を示す機能ブロック図である。
【図４】本実施形態における撮影モードにおける各種設定を説明するための模式図である。
【図５】書画カメラモード開始時における画面遷移の例を示す模式図である。
【図６】表示反転操作を行った場合の表示例を説明するための図である。
【図７】書画カメラモードにおいてシャッタボタンを半押しした場合の画面遷移の例を示す図である。
【図８】図３の機能的構成を有する図２の撮像装置が実行する各種の動作モードに共通する全体の制御処理の流れを説明するフローチャートである。
【図９】各種の動作モードに共通する全体の制御処理のうち初期化処理の流れを説明するフローチャートである。
【図１０】書画カメラモードとそれ以外の撮影モードでライブビュー制御処理の流れが異なることを説明するフローチャートである。
【図１１】書画カメラモードとそれ以外の撮影モードで被写体向き制御処理の流れが異なることを説明するフローチャートである。
【図１２】書画カメラモードとそれ以外の撮影モードでシャッタ半押し処理の流れが異なることを説明するフローチャートである。
【図１３】書画カメラモードとそれ以外の撮影モードでシャッタ全押し処理の流れを説明するフローチャートである。
【発明を実施するための形態】
【０００９】
以下、本発明の実施形態について、図面を用いて説明する。
【００１０】
図１は、本発明の一実施形態に係る撮像装置１を書画カメラとして利用している状態を説明するための模式図である。
撮像装置１は通常は携帯して利用する小型のデジタルカメラなどであるが、書画台２に装着するとともに、書画カメラモードで動作させることで書画カメラＡとして機能することが可能となる。以下、撮像装置１と書画台２とを組み合わせたシステムとしての形態を書画カメラＡとして説明する。
書画カメラＡは、資料など主に平面の被写体を撮影して映像信号に変換して表示・記録する装置である。書画カメラＡは、例えば、講演や講義等の教育やプレゼンテーションの場で利用され、資料を印刷した用紙を撮影して表示し、表示内容を記録する。
このような書画カメラＡは、本実施形態においては、図１（ａ）に示すように、撮像手段である撮像装置１と、撮像装置１を所定の位置と方向で固定する書画台２から構成される。
また、書画カメラＡは、表示に際しては、撮像装置１の自機の出力手段である後述する出力部１９や撮像装置１に接続した外部ディスプレイにより行う。
【００１１】
撮像装置１は、本実施形態においては、書画撮影機能を搭載した汎用型の撮影・表示・記録機能を備えた装置が用いられる。なお、撮像装置１は、風景等を撮影する汎用的な用いられ方をする場合には、撮像装置１の方向を自動検出して、撮像画像がＤ１方向から見る表示方向となるように表示される。また、撮像装置１では、汎用的な用いられ方をする場合には、入力手段である後述する入力部１８のシャッタボタンが配置された側を上方向にして使用されるため装置を横方向に傾けない場合には、上方向を基準として撮像画像が表示される。また、外部ディスプレイを接続した場合には、出力部１９に表示される場合と同様の向きで表示が行われる。
【００１２】
書画台２は、台座部２ａと、台座部２ａに連結したアーム部２ｂと、を備える。
台座部２ａは、机等の平面に設置可能にし、撮像装置１を取り付けても横転しないような大きさの台座として構成される。
アーム部２ｂは、一端が台座部２ａと連結し、資料の設置位置の上方に張り出すように構成され、他端には撮像装置１の下端部分を保持する保持部（図示せず）を有する。
【００１３】
本実施形態においては、撮像装置１は、設置した資料等の被写体を上方から撮影可能な位置で、上部に撮像装置１が資料の置いてある方向の下方に向けて取り付けられる。
【００１４】
また、撮像装置１は、直角に折れ曲がったアーム部２ｂの保持部に撮像装置１の下端部分が取り付けられるために、台座部２ａやアーム部２ｂが邪魔にならない反対側の位置から操作者（プレゼンター）が被写体を書画カメラＡに正対して設置した場合には、撮像装置１のＤ１方向から出力部１９を見た場合、又は、外部ディスプレイに表示した場合には、被写体である資料が通常の撮影の向き（正方向）とは、逆さの向き（反転方向）に表示・記録されることになる。即ち、撮像装置１で、風景を撮影するような通常の被写体を撮影する方法で撮影した場合には、反転方向の資料が表示・記録されてしまうことになる。
【００１５】
そこで、本実施形態の撮像装置１では、書画撮影機能として、書画カメラＡとして利用する場合に、撮像装置１の撮影方向と反転方向の被写体が設置された場合に、向きを変更する機能を有する。即ち、撮像装置１では、書画機能を発揮している状況下では、装置の上下の向きや、縦横撮り等の通常の撮影で方向の検出を行っているセンサの値等を採用せずに、書画カメラＡでの撮影環境に準じた向きに設定することができる。
【００１６】
これにより、書画カメラＡでは、図１（ｂ）に示すように、例えば、Ｄ２方向から出力部１９、又は外部ディスプレイを見て、被写体が逆に写っている場合（反転方向になってしまう場合）でも、Ｄ２方向からの視点に合わせて、撮像画像の表示方向を被写体を正しく確認できる正方向に変えることができる。これにより、ユーザは、任意の方向で書画カメラＡを使用することができ、表示や記録画像の閲覧者には、撮影者の意図を反映した任意の方向で画像の閲覧をさせることができる。
【００１７】
図２は、本発明の一実施形態に係る撮像装置１のハードウェアの構成を示すブロック図である。
撮像装置１は、例えばデジタルカメラとして構成される。また、撮像装置１は、汎用的なデジタルカメラとしての利用に加えて、上述したように、書画台２に取り付けることにより書画カメラＡとして利用される。
【００１８】
撮像装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、センサ部１６、撮像部１７と、入力部１８と、出力部１９と、記憶部２０と、通信部２１と、ドライブ２２と、を備えている。
【００１９】
ＣＰＵ１１は、ＲＯＭ１２に記録されているプログラム、又は、記憶部２０からＲＡＭ１３にロードされたプログラムに従って各種の処理を実行する。
【００２０】
ＲＡＭ１３には、ＣＰＵ１１が各種の処理を実行する上において必要なデータ等も適宜記憶される。
【００２１】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１７、入力部１８、出力部１９、記憶部２０、通信部２１及びドライブ２２が接続されている。
【００２２】
センサ部１６は、加速度センサ等の各種センサにより構成され、装置の撮影方向（例えば、重力に対する上下方向や装置が縦撮り・横撮りとなる方向）を検出可能に構成される。撮像装置１は、センサ部１６からのセンサ値に基づいて、撮影画像の表示方向や記憶方向を設定する。
【００２３】
撮像部１７は、図示はしないが、光学レンズ部と、イメージセンサと、を備えている。
【００２４】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００２５】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１７の出力信号として出力される。
このような撮像部１７の出力信号を、以下、「撮像画像のデータ」と呼ぶ。撮像画像のデータは、ＣＰＵ１１や図示しない画像処理部等に適宜供給される。
また、本実施形態においては、撮像画像のうち、ライブビュー撮影時に表示される撮影画像を「ライブビュー画像」といい、記録された撮像画像を「記録画像」という。
【００２６】
入力部１８は、半押し全押し可能なシャッタ操作を可能にするシャッタボタン等の各種ボタン等で構成され、ユーザの指示操作に応じて各種情報を入力する。
出力部１９は、ディスプレイやスピーカ等で構成され、画像や音声を出力する。
記憶部２０は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２１は、インターネットを含むネットワークを介して他の装置（図示せず）との間で行う通信や、外部ディスプレイとの間で行う表示出力のための通信を制御する。
【００２７】
ドライブ２２には、磁気ディスク、光ディスク、光磁気ディスク、或いは半導体メモリ等よりなる、リムーバブルメディア３１が適宜装着される。ドライブ２２によってリムーバブルメディア３１から読み出されたプログラムは、必要に応じて記憶部２０にインストールされる。また、リムーバブルメディア３１は、記憶部２０に記憶されている画像のデータ等の各種データも、記憶部２０と同様に記憶することができる。
【００２８】
図３は、このような撮像装置１の機能的構成のうち、各種の動作モードに共通する全体の制御処理を実行するための機能的構成を示す機能ブロック図である。
各種の動作モードに共通する全体の制御処理（主に、書画撮影機能を発揮する処理）とは、書画カメラモード下において、撮影した被写体の向きをユーザの任意の方向に変更して、表示及び記録を行う一連の処理をいう。
【００２９】
各種の動作モードに共通する全体の制御処理を実行する場合には、図３に示すように、ＣＰＵ１１において、動作モード判定部５１と、再生処理部５２と、初期化処理部５３と、ライブビュー制御処理部５４と、被写体向き制御処理部５５と、入力操作検出部５６と、シャッタ半押し処理部５７と、シャッタ全押し処理部５８と、が機能する。
また、記憶部２０の一領域には、被写体向き記憶部７１と、画像記憶部７２が設定される。
被写体向き記憶部７１には、ライブビュー撮影における被写体の向きに関する情報が記憶される。
画像記憶部７２には、撮像部１７によって撮像され記録された記録画像のデータが記憶される。記録画像には、被写体の向きを含む画像の向きに関する情報がヘッダ情報等に記憶されている。
【００３０】
動作モード判定部５１は、動作モードを判定する。具体的には、動作モード判定部５１は、撮影を行うための撮影モードか、記録してある画像を表示する再生モードのいずれかの動作モードであるか否かを判定する。
【００３１】
ここで、本実施形態で採用される撮影モードについて説明する。
図４は、本実施形態における撮影モードにおける各種設定を説明するための模式図である。撮像装置１には、例えば、撮影モードと、各種設定を対応付けたテーブルとして記憶される。
【００３２】
具体的には、図４に示すように、所定の撮影状況に適した「書画カメラ」、「ホワイトボード」、「人物」、「風景」等の撮影モードが設けられる。
「書画カメラ」は、書画カメラでの利用に適した撮影モードであり、「ホワイトボード」は、ホワイトボードを撮影する場合に適した撮影モードであり、「人物」は、人物の撮影に適した撮影モードであり、「風景」は、風景の撮影に適した撮影モードである。
【００３３】
詳細には、「撮影シーン：書画カメラ」の場合には、特有の機能として、被写体の向きの判定結果を反映して、判定結果に応じた表示向きの制御（「判定結果に応じた表示向きの制御：有り」）を行ったり、逆向きの場合に反転させたタイムスタンプを記録（「タイムスタンプの反転記録：有り」）したりする。また、本実施形態においては、「撮影シーン：書画カメラ」のみ、被写体の向きの判定方法をユーザの切換操作により行い（「被写体向きの判定方法：ユーザ切換操作：有り」）、外部ディスプレイへの出力を可能にする仕様とした。また、「撮影シーン：書画カメラ」では、被写体の種類が資料等の「被写体の種類：書画」であるため、被写体の内容によって撮影結果が変わらないように、人の顔を検出してフォーカスを検出した人に合わせない（「顔検出：無し」）ようにして構成している。
【００３４】
再生処理部５２は、再生処理を実行する。「再生処理」は、再生モード下において、画像記憶部７２に記憶される画像を表示出力（再生）する処理である。
【００３５】
初期化処理部５３は、初期化処理を実行する。「初期化処理」は、被写体の向きを初期値である正方向に設定する処理である。初期化処理部５３は、被写体向き記憶部７１に被写体の向きを正方向に設定する。
【００３６】
ライブビュー制御処理部５４は、ライブビュー制御処理を実行する。「ライブビュー制御処理」は、ライブビュー撮影時において、出力先毎（出力部１９や外部ディスプレイ）に表示出力を変更したり、撮影モード（本実施形態においては、書画カメラモードかそれ以外の撮影モード）に応じて、表示動作を制御したりする処理である。
表示動作としては、書画カメラモード以外の撮影モードの場合には、フォーカスの位置を示すアイコンであるフォーカス枠を表示させる。これに対して、書画カメラモードの場合には、表示を反転させる操作についてのガイダンス（以下、「表示反転操作のガイダンス」という。）を表示したり、フォーカス枠を非表示にしたりする。
【００３７】
被写体向き制御処理部５５は、被写体向き制御処理を実行する。「被写体向き制御処理」は、書画カメラモード以外の撮影モードの場合には、センサ部１６から取得した装置の向きを示す縦横センサの値に応じて、被写体の向きを設定し、書画カメラモードの場合には、被写体向きの反転の操作の検出に応じて、被写体の向きの設定と、対応する表示動作を行う。即ち、被写体向き制御処理部５５は、撮影モードに応じて、ユーザ操作により撮像画像の表示方向を変化させる第１の変化条件と、被写体の方向または撮像装置の方向の自動検出により撮像画像の表示方向を変化させるがユーザ操作では撮像画像の表示方向を変化させない第２の変化条件を変化させる。この場合の表示動作とは、被写体の向きが反転方向に反転させたときに、表示を反転させると共に、表示方向が反転した旨のアイコンの表示を行う。
【００３８】
入力操作検出部５６は、シャッタボタンの押下操作の有無と、操作状態（半押し・全押し状態）を検出する。
【００３９】
シャッタ半押し処理部５７は、シャッタボタンが半押しされた場合に、シャッタ半押し処理を実行する。「シャッタ半押し処理」は、書画カメラモードである場合には、フォーカス枠を表示してＡＦ処理を行い、書画カメラモード以外の撮影モードである場合には、ＡＦ処理のみを行う処理である。
【００４０】
シャッタ全押し処理部５８は、シャッタボタンが全押しされた場合に、シャッタ全押し処理を実行する。「シャッタ全押し処理」は、撮像部１７による撮影を行い、設定された被写体方向に応じた位置にタイムスタンプを合成した記録画像を画像記憶部７２に記録する処理である。
【００４１】
ここで、各種表示動作における表示例について説明する。
図５は、書画カメラモード開始時における画面遷移の例を示す模式図である。
本実施形態においては、図５の例に示すように、書画カメラモード選択後に、撮影モードのうち、書画カメラモードが選択された旨を一定時間表示し、表示反転操作のガイダンス（「［ＭＯＶＩＥ］で向きの切り替えができます」）をライブビュー画像の前面に表示する。その後、一定時間経過すると、ガイダンスを消してライブビュー画像と現在時刻を表示する仕様となっている（ユーザの確認操作に応じてガイダンスを消すようにしてもよい）。また、ガイダンスに示すように、［ＭＯＶＩＥ］のボタンを操作（キートグル操作による切り替え）することで、被写体の向き、即ち、画像全体の向きを正方向と反転方向との間で切り替えることができる。
なお、書画カメラモード下においては、ライブビュー撮影時にも操作者（撮影者）以外が映像を閲覧するための表示を行っているため、特段の操作がされない限り、他の撮影モードでは表示されている操作者（撮影者）用のフォーカス枠は表示されない。
【００４２】
図６は、表示反転操作を行った場合の表示例を説明するための図である。
本実施形態においては、図６に示すように、装置の上方向を基準に表示する初期設定状態で表示し、Ｄ３方向から見た場合に、画面の表示（資料等の被写体（本例では、数字「１２３４５６」）及びタイムスタンプ）が逆向きであるときなどに、表示反転操作（［ＭＯＶＩＥ］のボタンを操作）をすると、撮像画像の向きが切り替わって、正しい向き（正方向）に撮像画像の向きを変えることができる。この際、撮像画像と共に、タイムスタンプも表示が反転し、さらに、表示反転操作をした旨を表すアイコンを表示する。また、記録される場合も、表示と同様の方向でタイムスタンプやアイコンの情報が付加されるに行われる。
【００４３】
図７は、書画カメラモードにおいてシャッタボタンを半押しした場合の画面遷移の例を示す図である。
本実施形態では、書画カメラモードにおいては、ライブビュー撮影時にも閲覧のための表示を行うため、閲覧の邪魔になるという理由から、フォーカス枠の表示を行っていないが、図７の例に示すように、書画カメラモードにおけるシャッタボタンを半押しした場合には、ＡＦが実行され、フォーカスが行われていることを明示するため、フォーカス動作とフォーカス位置を示すフォーカス枠を表示する。
なお、タイムスタンプは、表示の説明の便宜上、図５乃至７に図示したが、本実施形態においては、表示状態では付加されるものではなく記録画像のみに付加される。ただし、表示状態においても付加するように構成してもよい。
【００４４】
図８は、図３の機能的構成を有する図２の撮像装置１が実行する各種の動作モードに共通する全体の制御処理の流れを説明するフローチャートである。
各種の動作モードに共通する全体の制御処理は、ユーザによる入力部１８の操作で予め撮影モードのうち書画カメラモードが設定されている場合に実行されるものである。
【００４５】
ステップＳ１１において、動作モード判定部５１は、どの動作モードであるか否かを判定する。
動作モードが再生モードである場合には、ステップＳ１１において［再生モード］と判定されて、処理はステップＳ１２に進む。
動作モードが撮影モードである場合には、ステップＳ１１において［撮影モード］と判定されて、処理はステップＳ１３に進む。
【００４６】
ステップＳ１２において、再生処理部５２は、再生処理を実行する。再生処理においては、記憶されている画像の再生を行う処理が実行される。その後、各種の動作モードに共通する全体の制御処理は終了する。
【００４７】
ステップＳ１３において、初期化処理部５３は、初期化処理を実行する。初期化処理の詳細な流れについては後述する。
【００４８】
ステップＳ１４において、ライブビュー制御処理部５４は、ライブビュー制御処理を実行する。ライブビュー制御処理の詳細な流れについては後述する。
【００４９】
ステップＳ１５において、被写体向き制御処理部５５は、被写体向き制御処理を実行する。被写体向き制御処理の詳細な流れについては後述する。
【００５０】
ステップＳ１６において、入力操作検出部５６は、シャッタ半押し操作がされたか否かを判定する。
シャッタ半押し操作がされた場合には、ステップＳ１６においてＹＥＳと判定されて、処理はステップＳ１７に進む。
シャッタ半押し操作がされない場合には、ステップＳ１６においてＮＯと判定されて、処理はステップＳ１８に進む。
【００５１】
ステップＳ１７において、シャッタ半押し処理部５７は、シャッタ半押し処理を実行する。シャッタ半押し処理の詳細な流れについては後述する。
【００５２】
ステップＳ１８において、入力操作検出部５６は、シャッタ全押し操作がされたか否かを判定する。
シャッタ全押し操作がされた場合には、ステップＳ１８においてＹＥＳと判定されて、処理はステップＳ１９に進む。
シャッタ全押し操作がされない場合には、ステップＳ１８においてＮＯと判定されて、各種の動作モードに共通する全体の制御処理は終了する。
これにより、撮像装置１においては、通常の被写体の撮影を行うことが可能な汎用の装置を用いることができ、汎用的な様々な用途に応じて撮影や表示の設定を変更する際のユーザ操作を容易にすることができる。
【００５３】
ステップＳ１９において、シャッタ全押し処理部５８は、シャッタ全押し処理を実行する。シャッタ全押し処理の詳細な流れについては後述する。
その後、各種の動作モードに共通する全体の制御処理は終了する。
【００５４】
図９は、各種の動作モードに共通する全体の制御処理のうち初期化処理の流れを説明するフローチャートである。
【００５５】
ステップＳ３１において、初期化処理部５３は、初期の設定として、被写体向きを正方向とするように被写体向き記憶部７１に記憶させて設定する。その後、メインの処理に戻る。
【００５６】
図１０は、書画カメラモードとそれ以外の撮影モードでライブビュー制御処理の流れが異なることを説明するフローチャートである。
【００５７】
ステップＳ５１において、ライブビュー制御処理部５４は、書画カメラモードであるか否かを判定する。
書画カメラモードでない場合には、ステップＳ５１においてＮＯと判定されて、処理はステップＳ５７に進む。ステップＳ５７以降の処理は後述する。
書画カメラモードである場合には、ステップＳ５１においてＹＥＳと判定されて、処理はステップＳ５２に進む。
【００５８】
ステップＳ５２において、ライブビュー制御処理部５４は、外部ディスプレイと接続しているか否かを判定する。
外部ディスプレイと接続している場合には、ステップＳ５２においてＹＥＳと判定されて、処理はステップＳ５３に進む。
外部ディスプレイと接続していない場合には、ステップＳ５２においてＮＯと判定されて、処理はステップＳ５４に進む。
【００５９】
ステップＳ５３において、ライブビュー制御処理部５４は、ライブビュー画像の出力先を出力部１９から外部ディスプレイに切り換える。
【００６０】
ステップＳ５４において、ライブビュー制御処理部５４は、ライブビュー表示動作を開始するように出力先（外部ディスプレイ、又は、出力部１９）の表示出力を制御する。具体的には、図５の例で示すように、ライブビュー表示動作として書画カメラモードである旨を表示して開始する。
【００６１】
ステップＳ５５において、ライブビュー制御処理部５４は、書画カメラモードであるため表示反転操作のガイダンスを所定時間表示するように出力先（外部ディスプレイ、又は、出力部１９）の表示出力を制御する。具体的には、図５の例で示すように、「［ＭＯＶＩＥ］で向きの切り替えができます」というメッセージで表示反転操作のガイダンスを所定時間表示する。
【００６２】
ステップＳ５６において、ライブビュー制御処理部５４は、書画カメラモードであるためフォーカス枠を非表示するように出力先（外部ディスプレイ、又は、出力部１９）の表示出力を制御する。具体的には、図７の例に示すように、シャッタボタンが半押しされない場合には、フォーカス枠を非表示にする。その後、メインの処理に戻る。
【００６３】
ステップＳ５７において、ライブビュー制御処理部５４は、外部ディスプレイと接続しているか否かを判定する。
外部ディスプレイと接続している場合には、ステップＳ５７においてＹＥＳと判定されて、処理はステップＳ５８に進む。
外部ディスプレイと接続していない場合には、ステップＳ５７においてＮＯと判定されて、処理はステップＳ５９に進む。
【００６４】
ステップＳ５８において、ライブビュー制御処理部５４は、外部出力表示が有効な場合には、ライブビュー画像の出力先を外部ディスプレイに切り換える。
【００６５】
ステップＳ５９において、ライブビュー制御処理部５４は、ライブビュー表示動作を開始するように出力先（外部ディスプレイ、又は、出力部１９）の表示出力を制御する。具体的には、例えば、撮影モードの名称を表示して、ライブビュー表示動作を開始する。
【００６６】
ステップＳ６０において、ライブビュー制御処理部５４は、書画カメラモードとそれ以外の撮影モードであるためフォーカス枠を表示するように出力先（外部ディスプレイ、又は、出力部１９）の表示出力を制御する。その後、メインの処理に戻る。
【００６７】
図１１は、書画カメラモードとそれ以外の撮影モードで被写体向き制御処理の流れが異なることを説明するフローチャートである。
【００６８】
ステップＳ８１において、被写体向き制御処理部５５は書画カメラモードであるか否かを判定する。
書画カメラモードでない場合には、ステップＳ８１においてＮＯと判定されて、処理はステップＳ８６に進む。ステップＳ８６以降の処理は後述する。
書画カメラモードである場合には、ステップＳ８１においてＹＥＳと判定されて、処理はステップＳ８２に進む。
【００６９】
ステップＳ８２において、被写体向き制御処理部５５は、第１キー操作があったか否かを判定する。
第１キー操作がなかった場合には、ステップＳ８１においてＮＯと判定されて、処理はメインの処理に戻る。
第１キー操作があった場合には、ステップＳ８１においてＹＥＳと判定されて、処理はステップＳ８２に進む。
【００７０】
ステップＳ８３において、被写体向き制御処理部５５は、書画カメラモードにおいて第１キー操作の操作がされたため被写体向きを反転させるようにライブビュー画像を設定する。
【００７１】
ステップＳ８４において、被写体向き制御処理部５５は、被写体向きに合わせて画面表示の方向を反転させるように出力先（外部ディスプレイ、又は、出力部１９）の表示出力を制御する。具体的には、図６の例に示すように、被写体向きが反転するように画像の表示を反転させる。
【００７２】
ステップＳ８５において、被写体向き制御処理部５５は、表示方向を示すアイコンを表示（反転状態のみ表示）させるように出力先（外部ディスプレイ、又は、出力部１９）の表示出力を制御する。具体的には、図６の例に示すように、アイコンを表示する。なお、アイコンは反転状態でのみ表示されることとなる。その後、メインの処理に戻る。
【００７３】
ステップＳ８６において、被写体向き制御処理部５５は、縦横センサの値をセンサ部１６から取得する。
【００７４】
ステップＳ８７において、被写体向き制御処理部５５は、センサ部１６から取得した縦横センサの値に応じて被写体向きを設定する。被写体向きの設定は、被写体向き記憶部７１へ記憶させることにより行う。その後、メインの処理に戻る。
【００７５】
図１２は、書画カメラモードとそれ以外の撮影モードでシャッタ半押し処理の流れが異なることを説明するフローチャートである。
【００７６】
ステップＳ１０１において、シャッタ半押し処理部５７は、書画カメラモードであるか否かを判定する。
書画カメラモードでない場合には、ステップＳ１０１においてＮＯと判定されて、処理はステップＳ１０５に進む。ステップＳ１０５の処理は後述する。
書画カメラモードである場合には、ステップＳ１０１においてＹＥＳと判定されて、処理はステップＳ１０２に進む。
【００７７】
ステップＳ１０２において、シャッタ半押し処理部５７は、フォーカス枠を表示するように出力先（外部ディスプレイ、又は、出力部１９）の表示出力を制御する。図７の例に示すように、シャッタ半押しにより、フォーカス枠の非表示状態から、表示状態になる。
【００７８】
ステップＳ１０３において、シャッタ半押し処理部５７は、ＡＦ処理を実行するように撮像部１７を制御する。
【００７９】
ステップＳ１０４において、シャッタ半押し処理部５７は、書画カメラモードであるためフォーカス枠を非表示するように出力先（外部ディスプレイ、又は、出力部１９）の表示出力を制御する。その後、メインの処理に戻る。
【００８０】
ステップＳ１０５において、シャッタ半押し処理部５７は、ＡＦ処理を実行するように撮像部１７を制御する。なお、書画カメラモードとそれ以外の撮影モードであるためフォーカス枠は常に表示した状態である。その後、メインの処理に戻る。
【００８１】
図１３は、書画カメラモードとそれ以外の撮影モードでシャッタ全押し処理の流れが異なることを説明するフローチャートである。
【００８２】
ステップＳ１２１において、シャッタ全押し処理部５７は、撮影を行うように撮像部１７を制御する。
【００８３】
ステップＳ１２２において、シャッタ全押し処理部５７は、書画カメラモードであるか否かを判定する。
書画カメラモードでない場合には、ステップＳ１２２においてＮＯと判定されて、処理はステップＳ１２５に進む。ステップＳ１２５の処理は後述する。
書画カメラモードである場合には、ステップＳ１２２においてＹＥＳと判定されて、処理はステップＳ１２３に進む。
【００８４】
ステップＳ１２３において、シャッタ全押し処理部５７は、設定された被写体の方向を判定する。
被写体の方向が正方向である場合には、ステップＳ１２３において［正方向］と判定されて、処理はステップＳ１２５に進む。
被写体の方向が反転方向である場合には、ステップＳ１２３において［反転方向］と判定されて、処理はステップＳ１２４に進む。
【００８５】
ステップＳ１２４において、シャッタ全押し処理部５７は、書画カメラモードにおいて表示反転操作である第１キー操作により反転方向になっているためタイムスタンプを左上に合成した記録画像を画像記憶部７２に記録させる。その際、シャッタ全押し処理部５７は、被写体向き記憶部７１に記憶される被写体向きの情報を記録画像に含めて記憶させる。その結果、記録画像を表示すると設定した被写体の向きで表示が行われる。その後、メインの処理に戻る。
【００８６】
ステップＳ１２５において、シャッタ全押し処理部５７は、タイムスタンプを右上に合成した記録画像を画像記憶部７２に記録させる。その後、メインの処理に戻る。
【００８７】
以上のように構成される撮像装置１は、撮像画像の表示方向の変更に係る制御が可能である。
撮像装置１は、被写体向き制御処理部５５を備える。
被写体向き制御処理部５５は、複数の撮影用途のいずれかの選択に応じて、撮像画像の表示方向の変更に係る制御内容を変更する。
これにより、撮像装置１においては、通常の被写体の撮影を行うことが可能な汎用の装置を用いることができ、汎用的な様々な用途に応じて撮影や表示の設定を変更する際のユーザ操作を容易にすることができる。
【００８８】
被写体向き制御処理部５５は、撮影用途の選択に応じて、撮像画像の表示方向を変化させる変化条件を変更する。
これにより、撮像装置１においては、汎用的な様々な用途に応じて撮影や表示の設定を変更する際のユーザ操作を容易にすることができる。
【００８９】
被写体向き制御処理部５５が変更可能な変化条件には、ユーザ操作により撮像画像の表示方向を変化させる第１の変化条件と、ユーザ操作では撮像画像の表示方向を変化させない第２の変化条件とを含む。
これにより、撮像装置１においては、汎用的な様々な用途に応じて撮影や表示の設定を変更する際のユーザ操作を容易にすることができる。
【００９０】
第２の変化条件は、被写体の方向または撮像装置の方向の自動検出により撮像画像の表示方向を変化させる。
これにより、撮像装置１においては、汎用的な様々な用途に応じて撮影や表示の設定を変更することができる。
【００９１】
被写体向き制御処理部５５は、レンズを下方向に向けて撮影を行う特定の撮影用途下において、第１の変化条件に変更する。
これにより、撮像装置１においては、特定の方向のみで、機能を発揮させることができるために、汎用的な様々な用途に応じて撮影や表示の設定を変更する際のユーザ操作を容易にすることができる。
【００９２】
レンズを下方向に向けて撮影を行う特定の撮影用途は、書画を撮影しながら外部の表示装置に対して撮影中の映像情報を出力する書画カメラの用途である。これにより、撮像装置１においては、通常の被写体の撮影を行うことが可能な汎用の装置を用いることができ、汎用的な様々な用途に応じて撮影や表示の設定を変更する際のユーザ操作を容易にすることができる。
【００９３】
被写体向き制御処理部５５は、特定の撮影用途下において、当該撮像装置に設けられた入力部１８への操作に応じて撮像画像の表示方向を変化させる変化条件に変更する。
これにより、撮像装置１においては、ユーザの任意の操作で撮像画像の表示方向が装置の向きに依存しないように表示方向の制御を変更することができる。
【００９４】
入力部１８の［ＭＯＶＩＥ］ボタンは、特定の撮影用途下において、他の撮影用途下での使用にも割り当てられている操作手段である。
これにより、撮像装置１においては、既存の操作手段の有効利用を図ることができる。
【００９５】
被写体向き制御処理部５５は、特定の撮影用途下において、撮像画像の表示方向を変更して初期方向からの表示方向の変更があった場合には、初期方向からの表示方向の変更があった旨の識別表示を行う制御を有効にする。
これにより、撮像装置１においては、初期方向からの表示方向の変更があったことを認識させることができる。
【００９６】
ライブビュー制御処理部５４は、特定の撮影用途下において、特定の操作により撮像画像の表示方向を変更することが可能な旨をガイダンスする制御を行う。
これにより、撮像装置１においては、撮像画像の表示方向を変更する手法をガイダンスするために、ユーザが特段の知識なく操作を行うことができる。
【００９７】
ライブビュー制御処理部５４は、特定の撮影用途下において、フォーカス状態を表示するフォーカス枠を非表示にする制御を行う。
これにより、撮像装置１においては、不要なタイミングでのフォーカス表示が表示に反映されることがない。
【００９８】
シャッタ全押し処理部５８は、初期方向からの表示方向の変更があった場合には、タイムスタンプを合成する位置と方向を変更する制御を行う。
これにより、撮像装置１においては、表示結果に対応してタイムスタンプを合成することができる。
【００９９】
特定の撮影用途以外の撮影用途の場合には、撮像画像の表示方向を装置の向きによって決定する制御を行う。
これにより、撮像装置１においては、特定のモード以外の他のモードでは撮像画像の表示方向を装置の向きを優先することができる。
【０１００】
撮影用途は、予め設定されているモードにより決定され、特定の撮影用途は、書画を撮影するためのモードである。
これにより、撮像装置１においては、書画機能を発揮する専用のモードで運用することができる。
【０１０１】
書画カメラＡは、撮像装置１と、書画台２と、を備える。
撮像装置１は、撮像画像の表示方向が装置の向きによって決定される装置である。
撮像装置１は、ライブビュー制御処理部５４と、シャッタ全押し処理部５８と、を備える。
ライブビュー制御処理部５４又はシャッタ全押し処理部５８は、撮影環境に合わせた好適な撮影用途を含む複数の撮影用途のうち、特定の撮影用途下において行われる特定の操作の解析結果に基づいて、撮像画像の表示方向が装置の向きに依存しないように表示方向の制御を変更する。
書画台２は、撮像装置１を所定の位置と方向で保持する。
これにより、書画カメラＡでは、撮像装置１の保持方向に関わらず、適切な表示を行うことができる。
【０１０２】
なお、本発明は、上述の実施形態に限定されるものではなく、本発明の目的を達成できる範囲での変形、改良等は本発明に含まれるものである。
【０１０３】
上述の実施形態では、ユーザのボタン操作により、向きを変更するように構成したがこれに限られない。例えば、オブジェクト認識または文字認識技術により、自動反転させるようにしてもよいし、撮像範囲への被写体の挿入方向に基づいて、自動反転させるようにしてもよい。
【０１０４】
また、上述の実施形態では、例えば用紙等の被写体である場合、被写体の形状から認識された四隅から台形補正も自動で行ってゆがみが抑制された画像を生成することができる。
【０１０５】
また、上述の実施形態では、外部ディスプレイの接続をもって、書画機能を発揮するように構成してもよい。また、上述の実施形態では、正方向から向きを同一紙面上で反転するように構成したが、正方向を表面として裏面側から見るミラー反転をするように構成してもよい。また、外部ディスプレイの出力時には、外部ディスプレイの比率に対応した出力が行われ、出力部１９との表示を同時にする場合には、出力部１９では外部ディスプレイのサイズの比率に調整された表示が行われる。
【０１０６】
また、上述の実施形態では、ユーザの入力部１８への操作により撮影モードの書画カメラモードが任意に選択するように構成したが、例えば、書画台２に取り付けられたことや撮像部１７のレンズが下向きになったことを重力センサ等により自動検出した場合や、外部ディスプレイが接続されたことを自動検出した場合に撮影モードの書画カメラモードが自動的に選択されるように構成してもよい。また、レンズが下向き、かつ、外部ディスプレイが接続されたという条件が組み合わさったときに撮影モードの書画カメラモードが自動的に選択されるように構成してもよい。
【０１０７】
また、上述の実施形態では、アイコンを非反転状態で邪魔にならないように反転状態でのみ表示するように構成したが、反転状態と非反転状態とを識別できれば、アイコンを非反転状態を示す場合にも表示するように構成してもよい。
【０１０８】
また、上述の実施形態では、本発明が適用される撮像装置１は、デジタルカメラを例として説明したが、特にこれに限定されない。
例えば、本発明は、書画撮影処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【０１０９】
上述した一連の処理は、ハードウェアにより実行させることもできるし、ソフトウェアにより実行させることもできる。
換言すると、図３の機能的構成は例示に過ぎず、特に限定されない。即ち、上述した一連の処理を全体として実行できる機能が撮像装置１に備えられていれば足り、この機能を実現するためにどのような機能ブロックを用いるのかは特に図３の例に限定されない。
また、１つの機能ブロックは、ハードウェア単体で構成してもよいし、ソフトウェア単体で構成してもよいし、それらの組み合わせで構成してもよい。
【０１１０】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【０１１１】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ１２や、図２の記憶部２０に含まれるハードディスク等で構成される。
【０１１２】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段などより構成される全体的な装置を意味するものとする。
【０１１３】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【０１１４】
以下に、本願の出願当初の特許請求の範囲に記載された発明を付記する。
［付記１］
撮像画像の表示方向の変更に係る制御が可能な撮像装置であって、
複数の撮影用途のいずれかの選択に応じて、前記撮像画像の表示方向の変更に係る制御内容を変更する変更手段を備えることを特徴とする撮像装置。
［付記２］
前記変更手段は、撮影用途の選択に応じて、前記撮像画像の表示方向を変化させる変化条件を変更する、
ことを特徴とする付記１に記載の撮像装置。
［付記３］
前記変更手段が変更可能な変化条件には、ユーザ操作により撮像画像の表示方向を変化させる第１の変化条件と、ユーザ操作では撮像画像の表示方向を変化させない第２の変化条件とを含む、
ことを特徴とする付記２に記載の撮像装置。
［付記４］
前記第２の変化条件は、被写体の方向または撮像装置の方向の自動検出により撮像画像の表示方向を変化させる、
ことを特徴とする付記３に記載の撮像装置。
［付記５］
前記変更手段は、レンズを下方向に向けて撮影を行う特定の撮影用途下において、前記第１の変化条件に変更する、
ことを特徴とする付記４に記載の撮像装置。
［付記６］
前記レンズを下方向に向けて撮影を行う特定の撮影用途は、書画を撮影しながら外部の表示装置に対して撮影中の映像情報を出力する書画カメラの用途である、
ことを特徴とする付記５に記載の撮像装置。
［付記７］
前記変更手段は、特定の撮影用途下において、当該撮像装置に設けられた操作手段への操作、又は被写体の解析結果に応じて前記撮像画像の表示方向を変化させる変化条件に変更する、
ことを特徴とする付記１に記載の撮像装置。
［付記８］
前記操作手段は、前記特定の撮影用途以外の他の撮影用途下での使用にも割り当てられている操作手段である、
ことを特徴とする付記７に記載の撮像装置。
［付記９］
前記変更手段は、特定の撮影用途下において、前記撮像画像の表示方向を変更して、初期の方向からの表示方向の変更があった場合に、初期方向からの表示方向の変更があった旨の識別表示を行う制御を有効にする、
ことを特徴とする付記１乃至８のいずれか１つに記載の撮像装置。
［付記１０］
前記変更手段は、前記特定の撮影用途下において、前記特定の操作により前記撮像画像の表示方向を変更することが可能な旨をガイダンスする制御を行う、
ことを特徴とする付記９に記載の撮像装置。
［付記１１］
前記変更手段は、前記特定の撮影用途下において、フォーカス状態を表示するフォーカス枠を非表示にする制御を行う、
ことを特徴とする付記９又は１０に記載の撮像装置。
［付記１２］
前記変更手段は、前記初期方向からの表示方向の変更があった場合には、タイムスタンプを合成する位置と方向を変更する制御を行う、
ことを特徴とする付記９乃至１１のいずれか１つに記載の撮像装置。
［付記１３］
前記変更手段により変更された表示方向で前記撮像画像を記録する制御を行う記録制御手段を備える、
ことを特徴とする付記１乃至１２のいずれか１つに記載の撮像装置。
［付記１４］
前記撮影用途は、予め設定されているモードにより決定され、
前記特定の撮影用途は、書画を撮影するためのモードである、
ことを特徴とする付記１乃至１３のいずれか１つに記載の撮像装置。
［付記１５］
撮像画像の表示方向の変更に係る制御が可能な撮像装置を制御する表示制御方法であって、
複数の撮影用途のいずれかの選択に応じて、前記撮像画像の表示方向の変更に係る制御内容を変更する変更ステップを含むことを特徴とする表示制御方法。
［付記１６］
撮像画像の表示方向の変更に係る制御が可能な撮像装置を制御するコンピュータに、
複数の撮影用途のいずれかの選択に応じて、前記撮像画像の表示方向の変更に係る制御内容を変更する変更機能を実行させることを特徴とするプログラム。
【符号の説明】
【０１１５】
１・・・撮像装置，２・・・書画台，１１・・・ＣＰＵ，１２・・・ＲＯＭ，１３・・・ＲＡＭ，１４・・・バス，１５・・・入出力インターフェース，１６・・・センサ部，１７・・・撮像部，１８・・・入力部，１９・・・出力部，２０・・・記憶部，２１・・・通信部，２２・・・ドライブ，３１・・・リムーバブルメディア，５１・・・動作モード判定部，５２・・・再生処理部，５３・・・初期化処理部，５４・・・ライブビュー制御処理部，５５・・・被写体向き制御処理部，５６・・・入力操作検出部，５７・・・シャッタ半押し処理部，５８・・・シャッタ全押し処理部，７１・・・被写体向き記憶部，７２・・・画像記憶部，Ａ・・・書画カメラ
【図１】
2015228614.tif 000003
【図２】
2015228614.tif 000004
【図３】
2015228614.tif 000005
【図４】
2015228614.tif 000006
【図５】
2015228614.tif 000007
【図６】
2015228614.tif 000008
【図７】
2015228614.tif 000009
【図８】
2015228614.tif 000010
【図９】
2015228614.tif 000011
【図１０】
2015228614.tif 000012
【図１１】
2015228614.tif 000013
【図１２】
2015228614.tif 000014
【図１３】
2015228614.tif 000015